(57)【要約】【課題】  幼児が突然浴室に出現したときには、家族に知らせることができ、更に、浴室に窓がある場合は、窓から侵入者を警報で知らせたり、警告を発して撃退したりすることができる浴室の異常検知装置の提供。【解決手段】  浴室２の人体を検知するための第１のセンサ５と、浴室２に隣接する脱衣室３の人体を検知するための第２のセンサ６と、センサ５、６からの信号を制御する制御部７と、警報を報知する警報手段８と、を備えた浴室の異常検知装置１において、制御部７は第２のセンサ６が人体を検知する前に第１のセンサ５が人体を検知した場合に警報手段８より警報を発するものである。【選択図】図１
2006065367.tif 000002
【特許請求の範囲】
【請求項１】
浴室の人体を検知するための第１のセンサと、該浴室に隣接する脱衣室の人体を検知するための第２のセンサと、前記センサからの信号を制御する制御部と、警報を報知する警報手段と、を備えた浴室の異常検知装置において、
前記制御部は前記第２のセンサが人体を検知する前に前記第１のセンサが人体を検知した場合に警報手段より警報を発するものである浴室の異常検知装置。
【請求項２】
前記第２のセンサは、所定の身長より大きな人体を検知することを特徴とする請求項１記載の浴室の異常検知装置。
【請求項３】
浴室の人体を検知するための第１のセンサと、該浴室に隣接する脱衣室の人体を検知するための第２のセンサと、制御部と、警報手段と、を備えた浴室の異常検知装置において、
前記制御部は、前記第２のセンサが人体を検知する前に前記第１のセンサが人体を検知し、その後前記第２のセンサが人体を検知した場合に警報手段より警報を発するものである浴室の異常検知装置。
【発明の詳細な説明】
【技術分野】
【０００１】
本発明は、浴室の異常検知装置に関するものである。
【背景技術】
【０００２】
従来から、浴室に入室した入浴者の異常を、家族などに知らせる浴室の異常検知装置には、センサが入浴者の赤外線及び色相などの情報で入浴者の動きを検知して、報知装置で知らせる方法がある。
【０００３】
具体的には、特開平１１−１０１５０２号公報に記載された入浴監視装置１０１がある。このものは、浴室１０２に設置された、給湯装置用の浴室リモコン１０５に、入浴監視装置の監視センサ１０８を内蔵し、外観から分かりにくくした。入浴監視装置１０１は、監視センサ１０８の画像から入浴者が動いているか否か監視し、一定時間以上動きがないと異常が発生している恐れがあると判断し、台所１０３のリモートコントローラ１０６から報知するものである。
【０００４】
すなわち、この装置は、入浴者に心理的な圧迫感や羞恥心を感じさせることなく画像による入浴者の監視を行うことができる入浴監視装置を提供するものである。
【０００５】
しかしながら、上述した入浴監視装置１０１では、監視センサ１０８の画像から入浴者が動いているか否か監視し、入浴者の停止状態が続いたときに報知するシステムであるので、幼児の浴室事故を報知したり、浴室窓からの侵入者を検知しても入浴者と侵入者とを区別したりすることができなかった。
【特許文献１】特開平１１−１０１５０２号公報
【発明の開示】
【発明が解決しようとする課題】
【０００６】
本願発明は、上記背景技術に鑑みて発明されたものであり、その課題は、幼児が突然浴室に出現したても家族に知らせることができ、更に、浴室に窓がある場合は、窓から侵入者を警報で知らせたり、警告を発して撃退したりすることができる浴室の異常検知装置を提供することである。
【課題を解決するための手段】
【０００７】
上記課題を解決するために、本願発明は、該浴室に隣接する浴室の人体を検知するための第１のセンサと、脱衣室の人体を検知するための第２のセンサと、前記センサからの信号を制御する制御部と、警報を報知する警報手段と、を備えた浴室の異常検知装置において、前記制御部は前記第２のセンサが人体を検知する前に前記第１のセンサが人体を検知した場合に警報手段より警報を発するものである。
【０００８】
また、前記第２のセンサは、所定の身長より大きな人体を検知することが好ましい。
【０００９】
また、浴室の人体を検知するための第１のセンサと、該浴室に隣接する脱衣室の人体を検知するための第２のセンサと、制御部と、警報手段と、を備えた浴室の異常検知装置において、前記制御部は、前記第２のセンサが人体を検知する前に前記第１のセンサが人体を検知し、その後前記第２のセンサが人体を検知した場合に警報手段より警報を発するものが好ましい。
【発明の効果】
【００１０】
本願発明の浴室の異常検知装置によれば、所定の身長に満たない幼児が、親の知らない間に浴室に入りこんだ場合、警報手段により警報を発することができるので事故を未然に防ぐことができる。また、浴室の窓から侵入者が進入した場合、警報手段により、警報を発することができる。警報手段の警報を聞いた者は、浴室内に侵入者４２の可能性があるので用心し、事件の被害を最小限に食い止めることができる。
【発明を実施するための最良の形態】
【００１１】
本願の第１の実施形態の浴室の異常検知装置を図１から図４に基づいて説明する。図１は第１の実施形態に係る浴室の異常検知装置１の概略上面図、図２は同上のブロック図、図３は同上の動作説明図である。このものは、浴室２の人体を検知するための第１のセンサ５と、浴室２に隣接する脱衣室３の人体を検知するための第２のセンサ６と、センサ５、６からの信号を制御する制御部７と、警報を報知する警報手段８と、を備えた異常検知装置１において、制御部７は第２のセンサ６が人体を検知する前に第１のセンサ５が人体を検知した場合に警報手段８より警報を発するものである。また、第２のセンサ６は、所定の身長より大きな人体を検知するものである。
【００１２】
この浴室の異常検知装置１は、浴室２に人の動きを検知する第１のセンサ５と脱衣室３に第２のセンサ６を設けたシステムであり、通常は、浴室２内の第１のセンサ５は、入浴者４の挙動をセンシングし、入浴者が停止している状態の時間の長さで、入浴者や家族に注意喚起や異常警報を伝達するシステムである。また、脱衣室３の第２のセンサ６は、入浴者の入室、退室の検知に利用される。
【００１３】
浴室２は、隣接した脱衣室３との間にドア２３を有し、壁面２４側に浴槽２１が設置されている。また、この壁面２４には窓２２設けられており、ドア２３に対向する壁面２４の浴槽２１の上方と窓２２の間の壁面２４に第１のセンサ５が設置されている。
【００１４】
脱衣室３は、壁面３２に第２のセンサ６が設置されている。この第２のセンサ６は、例えば、身長が約１ｍ以上の高さの人の動きに反応検知する用に設置されている。
【００１５】
制御部７は、第１のセンサ５が入浴者の挙動をセンシングし、停止状態の時間の長さが３０秒経過毎に、入浴者や家族に注意喚起を促し、停止状態の時間の長さが２分を経過した時点で、異常警報を報知するシステムとなっている。また、第２のセンサ６が入浴者の動きを検知しなくて、第１のセンサ５が浴室２で入浴者の動きを検知した場合、警報手段８により、例えば、入浴者の身長が約１ｍ以下の幼児４１の場合、‘浴室内にお子様がおられますので、見に行ってください‘との旨を音声で発するようにすると共に、警報灯、例えば、インジケータの点滅で異常を通報するようになっている。
【００１６】
このように構成された浴室の異常検知装置１は、所定の身長に満たない幼児４１が、親の知らない間に浴室に入りこんだ場合、警報手段８により、警報を発することができる。
【００１７】
従って、警報手段８の警報を親が聞いた場合、浴室２に見に行くことができるので事故を未然に防ぐことができる。
【００１８】
本願の第２の実施形態の浴室の異常検知装置１を図４に基づいて説明する。図４は第２の実施形態の動作説明図である。このものは、浴室２の人体を検知するための第１のセンサ５と、浴室２に隣接する脱衣室３の人体を検知するための第２のセンサ６と、制御部７と、警報手段８と、を備えた異常検知装置１において、制御部７は、第２のセンサ６が人体を検知する前に第１のセンサ５が人体を検知し、その後第２のセンサ６が人体を検知した場合に警報手段８より警報を発するものである
この実施形態は、前述した第１の実施形態とは制御部７の制御方法のみ変えたものであり、それら以外の構成要素は第１の実施形態と同様であるので説明は省略する。
【００１９】
制御部７は、第２のセンサ６が人の動きを検知していない状態で、第１のセンサ５が人の動きを検知し、その後、第２のセンサ６が人の動きを検知が得られた場合に、警報手段８により、例えば、‘報知リモコン＝窓からの侵入者です、気を付けてください’ との旨を音声で発するようにすると共に、警報灯、例えば、インジケータの点滅で異常を通報するようになっている。
【００２０】
このように構成された浴室の異常検知装置１は、窓２２から侵入者４２が進入した場合、警報手段８により、警報を発することができる。
【００２１】
従って、警報手段８の警報を聞いたものが、浴室２内に侵入者４２の可能性があるので用心し、事件の被害を最小限に食い止めることができる。
【図面の簡単な説明】
【００２２】
【図１】本発明の実施形態に係る浴室の異常検知装置の概略上面図である。
【図２】同上のブロック図である。
【図３】本発明の第１の実施形態に係る浴室の異常検知装置の概略側面断面図である。
【図４】本発明の第２の実施形態に係る浴室の異常検知装置の概略側面断面図である。
【図５】特開平１１−１０１５０２号公報に記載された入浴監視装置の構成図である。
【符号の説明】
【００２３】
１    異常検知装置
２    浴室
３    脱衣室
５    第１のセンサ
６    第２のセンサ
７    制御部
８    警報手段
【図１】
2006065367.tif 000003
【図２】
2006065367.tif 000004
【図３】
2006065367.tif 000005
【図４】
2006065367.tif 000006
【図５】
2006065367.tif 000007